(57)【要約】【課題】清掃作業を中断する際に延長管を手間無く安定して起立させることができる電気掃除機を提供すること。【解決手段】掃除機本体と、前記掃除機本体と接続される可撓性ホースと、前記可撓性ホースと接続される延長管と、前記延長管と接続される吸込口体と、前記延長管の起立状態を維持するように前記可撓性ホースの長手方向の中間部と前記延長管の長手方向の中間部とを近接状態に保持する保持部とを備え、  前記保持部は、前記可撓性ホースの前記中間部に設けられた第１保持部と、前記延長管の前記中間部に設けられた第２保持部とを有し、  前記第１保持部と前記第２保持部とは磁力によって互いに吸着するように構成されたことを特徴とする電気掃除機。【選択図】図２
2019202049.tif 000002
【特許請求の範囲】
【請求項１】
掃除機本体と、前記掃除機本体と接続される可撓性ホースと、前記可撓性ホースと接続される延長管と、前記延長管と接続される吸込口体と、前記延長管の起立状態を維持するように前記可撓性ホースの長手方向の中間部と前記延長管の長手方向の中間部とを近接状態に保持する保持部とを備え、
前記保持部は、前記可撓性ホースの前記中間部に設けられた第１保持部と、前記延長管の前記中間部に設けられた第２保持部とを有し、
前記第１保持部と前記第２保持部とは磁力によって互いに吸着するように構成されたことを特徴とする電気掃除機。
【請求項２】
掃除機本体と、前記掃除機本体と接続される可撓性ホースと、前記可撓性ホースと接続される延長管と、前記延長管と接続される吸込口体とを備え、
前記吸込口体は、吸込口本体と、前記吸込口本体を前記延長管に接続させる接続管部とを有し、
前記接続管部は、前記延長管が起立状態を維持できるように床面に対して９０°より大きい角度で前方へ揺動可能に前記吸込口本体に連結されていることを特徴とする電気掃除機。
【請求項３】
前記可撓性ホースの長手方向の中間部と前記延長管の長手方向の中間部とを近接状態に保持する保持部をさらに備え、
前記保持部は、前記可撓性ホースの前記中間部に設けられた第１保持部と、前記延長管の前記中間部に設けられた第２保持部とを有し、
前記第１保持部と前記第２保持部とは磁力によって互いに吸着するように構成された請求項２に記載の電気掃除機。
【請求項４】
前記第１保持部および前記第２保持部のうち、いずれか一方は磁石を有しかつ他方は磁石または磁石に吸着可能な磁性体を有する請求項１または３に記載の電気掃除機。
【請求項５】
前記第１保持部および前記第２保持部のうち、いずれか一方は係止凹部を有しかつ他方は前記係止凹部に離脱可能に係止する係止凸部を有する請求項４に記載の電気掃除機。
【発明の詳細な説明】
【技術分野】
【０００１】
本発明は、電気掃除機に関する。
【背景技術】
【０００２】
従来の電気掃除機として、例えば、特許文献１および２に記載されているように、掃除機本体と、前記掃除機本体と接続される可撓性ホースと、前記可撓性ホースの上流側端部に設けられたハンドルおよび操作部と、前記可撓性ホースと接続される延長管と、前記延長管と接続される吸込口体とを備えたキャニスター型電気掃除機がある。
【０００３】
特許文献１に記載の電気掃除機は、掃除機本体の後部に設けられた磁石を有する保持部と、吸込口体における延長管と接続する接続管部の裏面側に設けられた磁石と吸着可能な磁性体を有する被保持部とを具備し、保持部に被保持部を磁力によって吸着させることにより、延長管を起立させた状態で収納できるように構成されている。
【０００４】
特許文献２の電気掃除機は、可撓性ホースの上流側端部に設けられた折曲ホースと、折曲ホースの両端側に設けられたストップピンおよびストップ溝と、掃除機本体における接続部近傍に設けられた係止部と、延長管の裏面側に設けられたフックとを具備し、起立させた掃除機本体の係止部に延長管のフックを係止させる、さらには、折曲ホースをＵ形に折り曲げてストップピンをストップ溝に差し込むことにより、延長管を垂直状態に保持して収納できるように構成されている。
【先行技術文献】
【特許文献】
【０００５】
【特許文献１】特許第６１２１７５６号公報
【特許文献２】特開２００６−３４６１１５号公報
【発明の概要】
【発明が解決しようとする課題】
【０００６】
特許文献１の電気掃除機は、使用中にユーザーが一時的に清掃作業を中断する際にも、延長管を起立させておくことが可能であるが、ユーザーが掃除機本体の後部へ回り込んで延長管側の被保持部を掃除機本体側の保持部に吸着させるという動作が必要であるため、この動作がユーザーにとって煩わしいものとなる。
【０００７】
また、特許文献２の電気掃除機では、清掃作業を中断する際に折曲ホースをＵ形に折り曲げてストップピンをストップ溝に差し込み、延長管を床面に対して垂直状に起立させようとして手を離すと、Ｕ形に折り曲がった折曲ホースが可撓性ホース側へ引っ張られ、それによって延長管および可撓性ホースの長手方向中間部分が互いに離れて開いた状態となる。この結果、ハンドル周辺部分の重量を延長管によって支えることができなくなり、延長管はバランスを崩して左右方向へ倒れてしまうと推測される。
【０００８】
本発明は、このような課題に鑑みなされたものであり、清掃作業を中断する際に延長管を手間無く安定して起立させることができる電気掃除機を提供することを目的とする。
【課題を解決するための手段】
【０００９】
本発明によれば、掃除機本体と、前記掃除機本体と接続される可撓性ホースと、前記可撓性ホースと接続される延長管と、前記延長管と接続される吸込口体と、前記延長管の起立状態を維持するように前記可撓性ホースの長手方向の中間部と前記延長管の長手方向の中間部とを近接状態に保持する保持部とを備え、
前記保持部は、前記可撓性ホースの前記中間部に設けられた第１保持部と、前記延長管の前記中間部に設けられた第２保持部とを有し、
前記第１保持部と前記第２保持部とは磁力によって互いに吸着するように構成された電気掃除機（第１の発明）が提供される。
【００１０】
また、本発明によれば、掃除機本体と、前記掃除機本体と接続される可撓性ホースと、前記可撓性ホースと接続される延長管と、前記延長管と接続される吸込口体とを備え、
前記吸込口体は、吸込口本体と、前記吸込口本体を前記延長管に接続させる接続管部とを有し、
前記接続管部は、前記延長管が起立状態を維持できるように床面に対して９０°より大きい角度で前方へ揺動可能に前記吸込口本体に連結されている電気掃除機（第２の発明）が提供される。
【発明の効果】
【００１１】
本発明のキャニスター型電気掃除機によれば、清掃している際に、掃除機本体の駆動を停止して一時的に清掃を中断する場合、第１の保持部と第２の保持部とを近づけることによって延長管を起立させておくことができる。
【００１２】
また、第２の発明によれば、延長管を起立させる際、延長管を床面に対して垂直よりもやや前方に傾けることにより、延長管が可撓性ホース側へ引き寄せられる力と延長管が前方へ傾く力とが拮抗するため、延長管の起立状態を安定的に維持することができる。
【図面の簡単な説明】
【００１３】
【図１】本発明の実施形態１の電気掃除機の使用状態を示す左側面図である。
【図２】実施形態１の電気掃除機の使用中断状態を示す左側面図である。
【図３】実施形態１の電気掃除機に用いられる吸込口体を示す左側面図である。
【図４】実施形態１の電気掃除機における第１および第２保持部の磁力による吸着状態を示す縦断面図である。
【図５】実施形態２の電気掃除機における第１および第２保持部の磁力による吸着状態を示す縦断面図である。
【図６】実施形態３の電気掃除機における第１および第２保持部の磁力による吸着状態を示す縦断面図であって（Ａ）はロック解除状態、（Ｂ）はロック状態である。
【図７】実施形態４の電気掃除機における第１および第２保持部の磁力による吸着状態を示す縦断面図であって（Ａ）はロック解除状態、（Ｂ）はロック状態である。
【図８】本発明の実施形態５の電気掃除機を示す左側面図である。
【図９】実施形態５の電気掃除機に用いられる吸込口体を示す左側面図である。
【図１０】本発明の実施形態６の電気掃除機を示す左側面図である。
【発明を実施するための形態】
【００１４】
（実施形態１）
図１は本発明の実施形態１の電気掃除機の使用状態を示す左側面図であり、図２は実施形態１の電気掃除機の使用中断状態を示す左側面図である。また、図３は実施形態１の電気掃除機に用いられる吸込口体を示す左側面図であり、図４は実施形態１の電気掃除機における第１および第２保持部の磁力による吸着状態を示す縦断面図である。なお、図１と図２において、矢印Ｘ方向は前後方向、矢印Ｙ方向は左右方向、矢印Ｚ方向は上下方向を示している。
【００１５】
この電気掃除機１は、掃除機本体１０と、掃除機本体１０と接続される可撓性ホース２０と、可撓性ホース２０と接続される延長管３０と、延長管３０と接続される吸込口体４０と、延長管３０の起立状態を維持するように可撓性ホース２０の長手方向の中間部２１ａと延長管３０の長手方向の中間部３１ａとを近接状態に保持する保持部５０とを備えるキャニスター型電気掃除機である。なお、可撓性ホース２０の長手方向の中間部２１ａとは可撓性ホース２０の長手方向の中間点を含む全長の１／３程度の範囲を意味し、延長管３０の長手方向の中間部３１ａとは延長管３０の長手方向の中間点を含む全長の１／３程度の範囲を意味する。
【００１６】
＜掃除機本体＞
図１と図２に示すように、掃除機本体１０は、左右一対の車輪１１ａおよび前輪１１ｂを有する駆動装置１１と、駆動装置１１に離脱可能に装着される集塵ユニット１２およびバッテリー１３とを備える。
駆動装置１１は、内部に収納された図示しない電動送風機と、上面側に設けられた凹形の集塵ユニット装着部１１ｃと、集塵ユニット装着部１１ｃの後部に設けられた凹形のバッテリー装着部１１ｄと、可撓性ホース２０と接続可能に前部に設けられた先端接続部１１ｅと、後部に設けられた排気口１１ｆとを有する。
また、先端接続部１１ｅには、バッテリー１３からの電力を後述する吸込口体４０の回転ブラシ用モータ４１ｃに供給するための雌型端子（不図示）が設けられている。
【００１７】
集塵ユニット１２は、ダストカップ１２ａと、ダストカップ１２ａの開口部１２ａ1に離脱可能に装着される遠心分離ユニット１２ｂとを備える。
ダストカップ１２ａは、駆動装置１１の集塵ユニット装着部１１ｃに設けられた空気流出口（不図示）と接続可能な空気導入口（不図示）を有する。
【００１８】
遠心分離ユニット１２ｂは、ダストカップ１２ａの開口部１２ａ1に離脱可能に装着される筒形のカップ部１２ｂ1と、カップ部１２ｂ1と離脱可能に結合してダストカップ１２ａ内に収納される筒形のメッシュ部（不図示）と、カップ部１２ｂ1内に離脱可能に収納されるフィルター部（不図示）と、カップ部１２ｂ1と離脱可能に結合してフィルター部を覆うカバー部１２ｂ2とを有する。
また、カバー部１２ｂ2は、駆動装置１１の集塵ユニット装着部１１ｃに設けられた空気流入口（不図示）と接続可能な空気排出口（不図示）を有する。
【００１９】
このように構成された掃除機本体１０によれば、電気掃除機１での清掃時において、駆動装置１１の電動送風機が駆動することによりダストを含む空気が先端接続部１１ｅ内に流入し前記空気流出口を介して集塵ユニット１２の前記空気導入口からダストカップ１２ａ内に流入し、比較的大きな第１のダストはダストカップ内で空気から遠心分離される。また、第１のダストよりも小さい第２のダストを含む空気は前記遠心分離ユニットのメッシュ部を通過し、第２のダストは前記フィルター部にて捕捉される。また、第２のダストが除去された空気は前記フィルター部を通過して前記空気排出口を介して集塵ユニット装着部１１ｃの前記空気流入口から駆動装置１１内に流入し、電動送風機を通過して排気口１１ｆから外部に排出される。
【００２０】
＜可撓性ホース＞
図１、図２および図４に示すように、螺旋状に巻かれた導線２１ｗを外周部に有するホース本体２１と、ホース本体２１の下流側端部に設けられて掃除機本体１０の駆動装置１１の先端接続部１１ｅと離脱可能に接続する基端接続部２２と、ホース本体２１の上流側端部に設けられて延長管３０と離脱可能に接続する先端接続部２３と、先端接続部２３に一体状に設けられたハンドル２４および操作スイッチ部２５とを有する。
操作スイッチ部２５には、例えば、電源のＯＮ／ＯＦＦスイッチ、吸引力の強弱スイッチが設けられている。
なお、図１および図２における可撓性ホース２０のホース本体２１は図示を簡略化し、図４における導線２１ｗは図示を簡略化している。
【００２１】
基端接続部２２には、掃除機本体１０の駆動装置１１の先端接続部１１ｅに設けられた前記雌型端子と電気的に接続可能な雄型端子（不図示）が設けられている。
また、先端接続部２３には、後述する延長管３０の基端接続部３２に設けられた雄型端子（不図示）と電気的に接続可能な雌型端子（不図示）が設けられている。
また、基端接続部２２の雄型端子と先端接続部２３の雌型端子とは、導線２１ｗ、リード線、操作スイッチ部２５等を介して互いに電気的に接続されている。
【００２２】
＜延長管＞
図１、図２および図４に示すように、延長管３０は、管本体３１と、可撓性ホース２０の先端接続部３２と離脱可能に接続する基端接続部３２と、吸込口体４０と離脱可能に接続する先端接続部３３とを有する。
基端接続部３２には、可撓性ホース２０の先端接続部２３の前記雌型端子と電気的に接続可能な雄型端子（不図示）が設けられている。
また、先端接続部３３には、後述する吸込口体４０の接続管部４３に設けられた雄型端子４３ａと電気的に接続可能な雌型端子（不図示）が設けられている。
また、基端接続部３２の雄型端子と先端接続部３３の雌型端子とは、管本体３１の外面に沿って設けられた長手方向に延びる図示しない導線を介して互いに電気的に接続されている。なお、図３において、この導線は図示省略されている。
【００２３】
＜吸込口体＞
図１〜図３に示すように、吸込口体４０は、吸込口本体４１と、前後方向の第１軸心Ｐ1を中心として左右方向に回動可能に吸込口本体４１に結合した関節部４２と、左右方向の第２軸心Ｐ2を中心として前後方向（矢印Ａ方向）に揺動（回動）可能に関節部４２に結合した接続管部４３とを有する。
【００２４】
吸込口本体４１は、吸込口本体４１の外郭を構成する筐体の底面に設けられた吸込口４１ａと、筐体内における吸込口４１ａの近傍に回転可能に設けられた回転ブラシ４１ｂと、回転ブラシ４１ｂを回転駆動するように筐体内に設けられた前記回転ブラシ用モータ４１ｃと、回転ブラシ用モータ４１ｃの出力軸からの回転力を回転ブラシ４１ｂに伝達する図示しない回転力伝達機構（例えば、一対のプーリーとタイミングベルト）と、筐体の後部に設けられた後輪４１ｄとを有する。
【００２５】
接続管部４３は、延長管３０の先端接続部３３の前記雌型端子と電気的に接続可能な前記雄型端子４３ａを有しており、この雄型端子４３ａは図示しないリード線を介して回転ブラシ用モータ４１ｃと電気的に接続されている。
また、吸込口体４０が床面Ｆ上に載置された状態において、接続管部４３は床面Ｆに対して所定角度θ1まで前方へ揺動（回動）することが可能であり、実施形態１の場合、所定角度θ1はほぼ９０°に設定されている。
【００２６】
（保持部）
図１、図２および図４に示すように、保持部５０は、可撓性ホース２０の長手方向の中間部２１ａの表面側に取り付けられた第１保持部５１と、延長管３０の長手方向の中間部３１ａの裏面側に取り付けられた第２保持部５２とを有し、第１保持部５１と第２保持部５２とは磁力によって互いに吸着するように構成されている。
【００２７】
第１保持部５１は、可撓性ホース２０の中間部２１ａに巻き付けられて固定されるベルト５１ａと、ベルト５１ａ内に埋め込まれた磁石５１ｂとを有する。
第２保持部５２は、延長管３０の中間部３１ａに接着剤またはネジといった固定部材によって固定されたホルダー５２ａと、ホルダー５２ａ内に埋め込まれた磁石５２ｂとを有する。
磁石５１ｂ、５２ｂとしては、特に限定されるものではなく、実施形態１では一般的なフェライト磁石が用いられている。
【００２８】
第１および第２保持部５１、５２は、例えば、磁石を樹脂にて包み込むインサート成形、あるいは磁石を覆う部分を２部品で構成し、それらで磁石を挟んで接着または融着し一体化することによって形成することができる。この際、磁石の一部が外部に露出するよういしてもよい。
また、第１保持部５１のベルト５１ａは、可撓性ホース２０の中間部２１ａの太さに対応可能なものであり、その内面には可撓性ホース２０の中間部２１ａに対して滑らないように、例えば、ゴムシートや発泡樹脂シートといった滑り止めシートが貼り付けられていてもよい。
【００２９】
（保持部の作用効果について）
図１に示すように、電気掃除機１にて床面Ｆ上を清掃する際、ユーザーは操作スイッチ部２５の電源のＯＮ／ＯＦＦスイッチを押して電動送風機を駆動させ、ハンドル２４を持って吸込口体４０を前後方向（矢印Ｂ方向）に往復移動させる。このとき、回転ブラシ４１ｂ（図３）が回転して床面Ｆ上のダストが空気とともに吸込口体４０内に吸い込まれ、空気を含むダストは延長管３０および可撓性ホース２０を通って掃除機本体１０内に流入し、前記のようにダストが集塵ユニット１２内に捕捉される。
【００３０】
このような床面Ｆ上の清掃時に一時的に清掃を中断したい場合、ユーザーは操作スイッチ部２５の電源のＯＮ／ＯＦＦスイッチを押して電動送風機を停止させ、延長管３０をユーザー側（可撓性ホース２０側）へ引き寄せ、図２に示すように、延長管３０を起立させていくと、延長管３０側の第２保持部５２が可撓性ホース２０側の第１保持部５１に接近してこれらが互いに磁力により吸着する。
【００３１】
すなわち、本発明の電気掃除機１によれば、吸込口体４０を手前（ユーザー側）に引き寄せることによって延長管３０側の第２保持部５２が可撓性ホース２０側の第１保持部５１に接近してこれらが自然と磁力によって互いに吸着するため、可撓性ホース２０の長手方向の中間部２１ａと延長管３０の長手方向の中間部３１ａとが自然に束ねられた状態となり、延長管３０を床面Ｆに対してほぼ垂直に起立させることができる。よって、延長管３０を床面Ｆ上に寝かせたりするといった手間および可撓性ホース２０と延長管３０とを結束具にて結束する手間を要することなく、ユーザーは清掃を中断してその場を離れることができる。このとき、可撓性ホース２０と延長管３０とが束ねられた状態となることにより、可撓性ホース２０によって延長管３０が後方へ倒れないように支えているため、延長管３０の起立状態が安定的に維持される。
【００３２】
また、清掃の再開時には、ユーザーがハンドル２４を持って吸込口体４０を前方へ押し出すことにより、起立状態の延長管３０が傾斜状態となって第２保持部５２が第１保持部５１から自然と離れるため（図１）、可撓性ホース２０と延長管３０との結束を解除するといった手間を要することなくユーザーは清掃を再開することができる。
なお、ユーザーが、掃除機本体１０を引き寄せて、延長管３０と可撓性ホース２０とを近づけ、第１および第２保持部５１、５２とを磁力にて互いに吸着さえて可撓性ホース２０と延長管３０とが束ねられた状態とし、延長管３０を床面Ｆに対してほぼ垂直に起立させることもできる。
【００３３】
（実施形態２）
図５は実施形態２の電気掃除機における第１および第２保持部の磁力による吸着状態を示す縦断面図である。なお、図５において、図４中の要素と同様の要素には同一の符号を付している。
実施形態２の電気掃除機は、保持部１５０の構成が実施形態１とは異なる以外は、実施形態１と同様に構成されている。
【００３４】
実施形態２の場合、保持部１５０は、可撓性ホース２０の長手方向の中間部２１ａに取り付けられた実施形態１と同様の第１保持部５１と、延長管１３０の長手方向の中間部１３１ａに設けられた第２保持部１５２とを有する。
第２保持部１５２は、延長管１３０の中間部１３１ａに埋め込まれた磁性体１５２ａを有し、この磁性体１５２ａとしては、例えば、磁石と磁力により吸着する鉄、コバルト、ニッケル、ステンレス鋼等の薄い金属片（厚さ１〜２ｍｍ程度）が挙げられる。
【００３５】
この場合、インサート成形によって磁性体１５２ａが埋め込まれた延長管１３０の管本体１３１を形成する、あるいは管本体１３１の外面に凹部を形成し、凹部に磁性体１５２ａを収納した後に別部品にて蓋をして接着または融着により固定することによって、第２保持部１５２を形成することができる。この際、磁性体１５２ａの一部を外部に露出させるようにしてもよい。
【００３６】
実施形態２の保持部１５０によれば、外観がすっきりとした見栄えのよい延長管１３０を得ることができる。また、磁性体１５２ａを埋め込むことにより管本体１３１の流路が部分的に狭くなるが、磁性体１５２ａを薄くすることにより吸引性能への影響はほとんどない。
なお、第２保持部１５２の位置をユーザーが目視できるように、管本体１３１の外面に印を設けてもよい。
【００３７】
（実施形態３）
図６は実施形態３の電気掃除機における第１および第２保持部の磁力による吸着状態を示す縦断面図であって（Ａ）はロック解除状態、（Ｂ）はロック状態である。なお、図６において、図４中の要素と同様の要素には同一の符号を付している。
実施形態３の電気掃除機も、保持部２５０の構成が実施形態１とは異なる以外は、実施形態１と同様に構成されている。
【００３８】
実施形態３の場合、保持部２５０は、実施形態１と同様に磁石５１ｂを保持するベルト２５１ａを有する第１保持部２５１と、磁石５２ｂを保持するホルダー２５２ａを有する第２保持部２５２とを備え、さらに、第２保持部２５２のホルダー２５２ａに設けられた係止凹部２５２ａ1と、係止凹部２５２ａ1に離脱可能に係止するよう第１保持部２５１のベルト２５１ａに設けられた係止凸部２５１ａ1とを有する。
また、第１保持部２５１において、ベルト２５１ａの磁石埋め込み部分の上部には切欠き凹部２５１ａ2が形成されており、この切欠き凹部２５１ａ2にフック形の係止凸部２５１ａ1が揺動可能に枢着されている。
【００３９】
図６（Ａ）に示すように、実施形態３の保持部２５０も実施形態１と同様に第１保持部２５１と第２保持部２５２とが互いに磁力によって吸着するため、可撓性ホース２０と延長管３０とが束ねられた状態となって清掃中断時には延長管３０の起立状態を維持することができる。また、延長管３０を可撓性ホース２０とは反対側に移動させれば第１保持部２５１と第２保持部２５２とが簡単に離れるため即座に清掃を再開することができる。
【００４０】
また、実施形態３の場合、図６（Ｂ）に示すように、第１保持部２５１と第２保持部２５２との磁力による吸着時において、係止凸部２５１ａ1を下方へ揺動（回動）させて係止凹部２５２ａ1に係止させることにより、第１保持部２５１と第２保持部２５２との吸着状態をロックすることができる。この状態では、例えば、電気掃除機を持って階段を上り下りする際に第１保持部２５１と第２保持部２５２とが不意に離れるのを防止することができる。また、清掃を再開する際は、係止凸部２５１ａ1を指で摘んで上方へ揺動（回動）させて係止凹部２５２ａ1から離脱させてロックを解除する。
なお、図６（Ｂ）に示すロック状態では、可撓性ホース２０と延長管３０とがしっかりと結束されているため、電気掃除機を収納する場合にも対応可能である。
【００４１】
（実施形態４）
図７は実施形態４の電気掃除機における第１および第２保持部の磁力による吸着状態を示す縦断面図であって（Ａ）はロック解除状態、（Ｂ）はロック状態である。なお、図７において、図５中の要素と同様の要素には同一の符号を付している。
実施形態４の電気掃除機は、保持部３５０の構成が実施形態２とは異なる以外は、実施形態２と同様に構成されている。
【００４２】
実施形態４の場合、保持部３５０は、実施形態２と同様に磁石５１ｂを保持するベルト３５１ａを有する第１保持部３５１と、磁性体１５２ａを有する第２保持部３５２とを備え、さらに、第２保持部３５２に設けられた一対の係止爪３５２ａ11を有する係止凹部３５２ａ1と、係止凹部３５２ａ1に離脱可能に係止するよう第１保持部３５１のベルト３５１ａに設けられた一対の係止片３５１ａ11を有する係止凸部３５１ａ1とを備える。
【００４３】
係止凸部３５１ａ1の一対の係止片３５１ａ11は、ベルト３５１ａにおける磁石５１ｂを保持する部分の上下両面から上下方向に突出して設けられている。
係止凹部３５２ａ1は、第１保持部３５１と第２保持部３５２とが磁力により吸着した状態のときに係止凸部３５１ａ1を嵌め込む凹部であり、係止凹部３５２ａ1に嵌め込まれた係止凸部３５１ａ1の一対の係止片３５１ａ11に係止する位置に一対の係止爪３５２ａ11が設けられている。
【００４４】
実施形態４の場合、図７（Ａ）に示すように、第１保持部３５１と第２保持部３５２とを接近させると互いに磁力により引き合い、一対の係止片３５１ａ11が一対の係止爪３５２ａ11に当たって係止凹部３５２ａ1の奥まで入り込まないが、可撓性ホース２０と延長管３３０とが束ねられた状態となる。したがって、清掃中断時には延長管３３０の起立状態を維持することができ、延長管３３０を可撓性ホース２０とは反対側に移動させれば第１保持部３５１と第２保持部３５２とが簡単に離れるため、清掃を再開することができる。
【００４５】
また、実施形態４の場合、第１保持部３５１と第２保持部３５２とが磁力によって互いに引き合っている状態（図７（Ａ））のときに、係止凸部３５１ａ1を係止凹部３５２ａ1内に押し込むと、一対の係止爪３５２ａ11が弾性変形して開き、それによって図７（Ｂ）に示すように一対の係止片３５１ａ11が一対の係止爪３５２ａ11を乗り越えてこれらに係止する。これにより、第１保持部３５１と第２保持部３５２とが磁力によって互いに完全に吸着した状態となる。この状態でも、電気掃除機を持って階段を上り下りする際に第１保持部３５１と第２保持部３５２とが不意に離れるのを防止することができる。
【００４６】
また、清掃を再開する際は、延長管３３０を可撓性ホース２０とは反対側に移動させれば、一対の係止片３５１ａ1と一対の係止爪３５２ａ11とが互いに離脱してロックが解除され、清掃を再開することができる。
なお、図７（Ｂ）に示すロック状態では、可撓性ホース２０と延長管３３０とがしっかりと結束されているため、電気掃除機を収納する場合にも対応可能である。
【００４７】
（実施形態５）
図８は本発明の実施形態５の電気掃除機を示す左側面図であり、図９は実施形態６の電気掃除機に用いられる吸込口体を示す左側面図である。なお、図８と図９において、図１〜図３中の要素と同様の要素には同一の符号を付している。
実施形態５の電気掃除機４０１は、実施形態１と同様の掃除機本体１０、可撓性ホース２０および延長管３０を備えると共に、実施形態１の吸込口体４０とは構成が異なる吸込口体４４０を備え、実施形態１における保持部５０が省略されたものである。
【００４８】
図８と図９に示すように、実施形態５における吸込口体４４０は、実施形態１と同様の吸込口本体４１および関節部４２を備えると共に、関節部４２との接続部分に太さが細くなるくびれ部４４３ａを有する接続管部４４３を備える。
この吸込口体４４０において、くびれ部４４３ａを有する接続管部４４０は、床面Ｆに対して９０°より大きい角度θ2（例えば、９２〜９４°程度）で前方へ揺動（回動）可能に関節部４２を介して吸込口本体４１に連結されている。なお、実施形態５における吸込口体４４０において、その他の構成は実施形態１と同様である。
【００４９】
実施形態５の電気掃除機４０１によれば、図８に示すように、吸込口体４４０を手前（ユーザー側）に引き寄せて延長管３０を床面Ｆに対して垂直よりもやや前方に傾けることにより、延長管３０が可撓性ホース２０側へ引き寄せられる力と延長管３０が前方へ傾く力とが拮抗するため、延長管３０の起立状態を安定的に維持することができる。
また、清掃を再開する際は、吸込口体４４０を前方へ移動させる動作をするだけで手間無く掃除を再開することができる。
【００５０】
（実施形態６）
図１０は本発明の実施形態６の電気掃除機を示す左側面図である。なお、図１０において、図１、図２および図８中の要素と同様の要素には同一の符号を付している。
実施形態６の電気掃除機５０１は、実施形態１と同様の掃除機本体１０、可撓性ホース２０、延長管３０および保持部５０を備えると共に、実施形態５と同様の吸込口体４４０を備える。
この電気掃除機５０１によれば、実施形態５の電気掃除機４０１の場合よりも延長管３０の起立状態をさらに安定的に維持することができる。
なお、実施形態６における保持部５０は、実施形態２〜４のいずれかの保持部に変更してもよい。
【００５１】
（他の実施形態）
１．実施形態１（図４）では、保持部５０の第１および第２保持部５１、５２はどちらも磁石５１ｂ、５２ｂを有する場合を例示したが、いずれか一方は金属片などの磁性体であってもよい。
２．実施形態２（図５）では、保持部１５０の第２保持部１５２は延長管１３０の内側が盛り上がるように形成された場合を例示したが、延長管１３０の外側が盛り上がるように第２保持部１５２を形成してもよい。
３．実施形態３（図６）では、保持部２５０の第１保持部２５１に係止凸部２５１ａ1を設けかつ第２保持部２５２に係止凹部２５２ａ1を設けた場合を例示したが、第１保持部２５１に係止凹部を設けかつ第２保持部２５２に係止凸部を設けてもよい。
４．実施形態４（図７）では、保持部３５０の第１保持部３５１に係止凸部３５１ａ1を設けかつ第２保持部１５２に係止凹部１５２ａ1を設けた場合を例示したが、第１保持部３５１に係止凹部を設けかつ第２保持部１５２に係止凸部を設けてもよい。
５．実施形態１〜６では吸込口体の接続管部が前後方向および左右方向に揺動可能な場合を例示したが、本発明の電気掃除機においては前後方向にのみ揺動する吸込口体が用いられてもよい。
６．電気掃除機１として、サイクロン式電気掃除機で説明したが、紙パック式電気掃除機であってもよい。
【００５２】
（まとめ）
本発明の電気掃除機（第１の発明）は、掃除機本体と、前記掃除機本体と接続される可撓性ホースと、前記可撓性ホースと接続される延長管と、前記延長管と接続される吸込口体と、前記延長管の起立状態を維持するように前記可撓性ホースの長手方向の中間部と前記延長管の長手方向の中間部とを近接状態に保持する保持部とを備え、
前記保持部は、前記可撓性ホースの前記中間部に設けられた第１保持部と、前記延長管の前記中間部に設けられた第２保持部とを有し、
前記第１保持部と前記第２保持部とは磁力によって互いに吸着するように構成されたものである。
【００５３】
また、本発明の別の電気掃除機（第２の発明）は、掃除機本体と、前記掃除機本体と接続される可撓性ホースと、前記可撓性ホースと接続される延長管と、前記延長管と接続される吸込口体とを備え、
前記吸込口体は、吸込口本体と、前記吸込口本体を前記延長管に接続させる接続管部とを有し、
前記接続管部は、前記延長管が起立状態を維持できるように床面に対して９０°より大きい角度で前方へ揺動可能に前記吸込口本体に連結されたものである。
【００５４】
第２の発明としての電気掃除機は、次のように構成されてもよい。
（１）前記可撓性ホースの長手方向の中間部と前記延長管の長手方向の中間部とを近接状態に保持する保持部をさらに備え、
前記保持部は、前記可撓性ホースの前記中間部に設けられた第１保持部と、前記延長管の前記中間部に設けられた第２保持部とを有し、
前記第１保持部と前記第２保持部とは磁力によって互いに吸着するように構成されたものであってもよい。
この構成によれば、第１保持部と第２保持部とが磁力によって互いに吸着することによって可撓性ホースの長手方向の中間部と延長管の長手方向の中間部とが束ねられた状態となるため、延長管の起立状態をより安定的に維持することができる。
【００５５】
また、第１の発明としての電気掃除機および第２の発明としての電気掃除機は、それぞれ次のように構成されてもよく、それらが適宜組み合わされてもよい。
（２）前記第１保持部および前記第２保持部のうち、いずれか一方は磁石を有しかつ他方は磁石または磁石に吸着可能な磁性体を有するものであってもよい。
この構成によれば、第１および第２保持部の両方が磁石を有する場合はこれらが互いに強い磁力で吸着することができ、第１および第２保持部の一方が磁石を有しかつ他方が磁性体を有する場合は磁性体を薄板状にしてコンパクト化しかつコストダウンを図ることができる。
【００５６】
（３）前記第１保持部および前記第２保持部のうち、いずれか一方は係止凹部を有しかつ他方は前記係止凹部に離脱可能に係止する係止凸部を有するものであってもよい。
この構成によれば、第１保持部と第２保持部との吸着および係止凸部と係止凹部との係合によって、可撓性ホースの長手方向の中間部と延長管の長手方向の中間部との束ねられた状態がより強固に維持されるため、清掃中断時に電気掃除機を持って階段を上り下りする場合や、電気掃除機の収納時に対応することができる。
【００５７】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００５８】
１、４０１、５０１  電気掃除機
１０  掃除機本体
２０  可撓性ホース
２１ａ、３１ａ  長手方向の中間部
３０、１３０、３３０  延長管
４０、４４０  吸込口体
５０、１５０、２５０、３５０  保持部
５１、２５１、３５１  第１保持部
５１ｂ、５２ｂ  磁石
５２、１５２、２５２、３５２  第２保持部
１５２ａ  磁性体
２５１ａ1、３５１ａ1  係止凸部
２５２ａ1、３５２ａ1  係止凹部
θ1、θ2  角度
【図１】
2019202049.tif 000003
【図２】
2019202049.tif 000004
【図３】
2019202049.tif 000005
【図４】
2019202049.tif 000006
【図５】
2019202049.tif 000007
【図６】
2019202049.tif 000008
【図７】
2019202049.tif 000009
【図８】
2019202049.tif 000010
【図９】
2019202049.tif 000011
【図１０】
2019202049.tif 000012